(57)【要約】【課題】ユーザの意図しない情報の読み取りや、機器の使用を制限することが可能な制御システム、制御装置、制御方法、無線タグ、及び無線タグ情報管理方法を提供する。【解決手段】機器の制御を行なう領域に無線タグを設置し、制御を行なう機器に無線タグリーダを有する制御装置を設置する。そして、機器側で無線タグに記録されている制御情報を取得すると、当該制御情報に基づいて、機器の制御を行なう。また、機器の制御を行なう領域に無線タグリーダを設置し、無線タグを有する制御装置を機器に設置する。そして、無線タグで受信するセンシング信号の強度に応じて、機器の制御を行う。  【選択図】  図３
2006093826.tif 000002
【特許請求の範囲】
【請求項１】
制御情報を有する無線タグと、
前記無線タグから情報を読み取る無線タグリーダと、
前記制御情報を取得し、該制御情報に基づいて機器の制御を行なう機器制御部と
を有する制御装置と
を具備することを特徴とする制御システム。
【請求項２】
無線タグと、
前記無線タグが無線タグリーダから受信する信号の強度に基づいて機器の制御を行なう機器制御部と
を有する制御装置と、
前記無線タグに信号を送信する無線タグリーダと
を具備することを特徴とする制御システム。
【請求項３】
無線タグから情報を読み取る無線タグリーダと、
前記無線タグに記録されている制御情報を取得し、該制御情報に基づいて機器の制御を行なう機器制御部と
を具備する制御装置。
【請求項４】
無線タグと、
前記無線タグが無線タグリーダから受信する信号の強度に基づいて機器の制御を行なう機器制御部と
を具備することを特徴とする制御装置。
【請求項５】
前記機器は、カメラであることを特徴とする請求項３又は４記載の制御装置。
【請求項６】
無線タグに制御情報を記録し、
前記無線タグから無線タグリーダで前記制御情報を取得すると、該制御情報に基づいて機器の制御を行なう
ことを特徴とする制御方法。
【請求項７】
無線タグが無線タグリーダから受信する信号の強度に基づいて機器制御部で機器の制御を行なう
ことを特徴とする制御方法。
【請求項８】
無線タグリーダ又はライタから無線電波を受信するアンテナと、
前記無線電波から電圧を発生させる電源部と、
情報の読み書きを制御する読み書き制御部と、
前記情報を記録するメモリと
を具備し、
前記メモリは、取り外し可能である
ことを特徴とする無線タグ。
【請求項９】
無線電波を介してアンテナで読み出し要求又は書き込み要求を受信し、
無線タグにメモリが接続されていると前記要求に応じて処理を行う
ことを特徴とする無線タグ情報管理方法。
【請求項１０】
無線タグのメモリに制御コードを記録し、
前記無線タグで読み出し要求を受信すると情報を読み出す処理を終了する
ことを特徴とする無線タグ情報管理方法。
【請求項１１】
無線タグのメモリに情報の読出し又は書き込みを許可する無線タグリーダ又はライタの識別子を記録し、
無線電波を介してアンテナで情報の読み出し要求又は書き込み要求を受信すると、前記無線電波に含まれる識別子とメモリに記録している識別子とを照会して前記要求に応じた処理を行うか否かの判断を行う
ことを特徴とする無線タグ情報管理方法。
【発明の詳細な説明】
【技術分野】
【０００１】
本発明は、制御システム、制御装置、制御方法、無線タグ、及び無線タグ情報管理方法に関し、特に、無線タグ、若しくは無線タグリーダを用いた動作の制御や無線タグに記録されている情報の読み取りを制御することが可能な制御システム、制御装置、制御方法、無線タグ、及び無線タグ情報管理方法に関する。
【背景技術】
【０００２】
ＲＦＩＤ(Radio Frequency Identification)やＩＣ(Integrated Circuit)タグなどの無線タグでは、無線タグリーダから無線電波を受けると、当該無線タグに記録している情報を無線タグリーダに提供する。
【０００３】
この際、無線タグリーダに対して無条件に情報を提供するため、不必要な情報を無線タグリーダが読み取ることによって、無線タグから読み取った情報を利用するシステムで混乱が引き起こされたり、ユーザが知らない間に無線タグから勝手に情報が読み出されるなどの恐れがあった。
【０００４】
無線タグから情報の読み出しを防止する方法としては、強力な電磁波を用いて情報の読み出しを不可能とする方法や固有の装置を新たに装着する方法が提案されている（例えば、特許文献１参照）。
【０００５】
ところで、電車やバス、映画館などでは、携帯電話の電源を切り忘れるといったマナー違反による迷惑行為が問題となっており、特に、シルバーシートの近辺や飛行機に搭乗した後にこの様なマナー違反が行われると、ペースメーカなどの医療機器や飛行機の計器などに深刻な影響を与える恐れがある。
【０００６】
また、美術館や博物館、書店などでは、カメラ機能付きの携帯電話やカメラによる撮影が問題となっている。
【特許文献１】特開２００３−３０８４９５号公報
【発明の開示】
【発明が解決しようとする課題】
【０００７】
しかし、強力な電磁波を用いて情報の読み出しを不可能とする方法や固有の装置を新たに装着する方法では、無線タグの再利用が不可能となったり、新たなコストが発生するといった問題があった。
【０００８】
また、携帯電話やカメラなどの機器の使用については、人々のモラルによるところが多く、迷惑行為を完全に解消することは実質的に困難であった。
【０００９】
さらに、シルバーシート付近や飛行機の機内、映画館の劇場内など、一定の領域における機器の使用を完全に禁止する必要がある一方、例えば美術館では、通常の撮影は許可できるがフラッシュの使用を禁止したい場合、特定の絵の撮影を禁止したい場合など、特定の機能や特定の対象物に対しての機器の使用を制限できれば十分な場合もある。
【００１０】
そこで本発明では、ユーザの意図しない情報の読み取りや、機器の使用を制限することが可能な制御システム、制御装置、制御方法、無線タグ、及び無線タグ情報管理方法を提供することを目的とする。
【課題を解決するための手段】
【００１１】
本発明における制御システムは、制御情報を有する無線タグと、前記無線タグから情報を読み取る無線タグリーダと、前記制御情報を取得し、該制御情報に基づいて機器の制御を行なう機器制御部とを有する制御装置とを具備する。
【００１２】
また、本発明における制御システムは、無線タグと、前記無線タグが無線タグリーダから受信する信号の強度に基づいて機器の制御を行なう機器制御部とを有する制御装置と、前記無線タグに信号を送信する無線タグリーダとを具備する。
【００１３】
次に、本発明における制御装置は、無線タグから情報を読み取る無線タグリーダと、前記無線タグに記録されている制御情報を取得し、該制御情報に基づいて機器の制御を行なう機器制御部とを具備する。
【００１４】
また、本発明における制御装置は、無線タグと、前記無線タグが無線タグリーダから受信する信号の強度に基づいて機器の制御を行なう機器制御部とを具備する。
【００１５】
また、前記機器は、カメラである。
【００１６】
本発明における制御方法は、無線タグに制御情報を記録し、前記無線タグから無線タグリーダで前記制御情報を取得すると、該制御情報に基づいて機器の制御を行なう。
【００１７】
また、本発明における制御方法は、無線タグが無線タグリーダから受信する信号の強度に基づいて機器制御部で機器の制御を行なう。
【００１８】
本発明における無線タグは、無線タグリーダ又はライタから無線電波を受信するアンテナと、前記無線電波から電圧を発生させる電源部と、情報の読み書きを制御する読み書き制御部と、前記情報を記録するメモリとを具備し、前記メモリは、取り外し可能である
。
【００１９】
本発明における無線タグ情報管理方法は、無線電波を介してアンテナで読み出し要求又は書き込み要求を受信し、無線タグにメモリが接続されていると前記要求に応じて処理を行う。
【００２０】
また、本発明における無線タグ情報管理方法は、無線タグのメモリに制御コードを記録し、前記無線タグで読み出し要求を受信すると情報を読み出す処理を終了する。
【００２１】
また、本発明における無線タグ情報管理方法は、無線タグのメモリに情報の読出し又は書き込みを許可する無線タグリーダ又はライタの識別子を記録し、無線電波を介してアンテナで情報の読み出し要求又は書き込み要求を受信すると、前記無線電波に含まれる識別子とメモリに記録している識別子とを照会して前記要求に応じた処理を行うか否かの判断を行う。
【発明の効果】
【００２２】
本発明では、ユーザの意図しない情報の読み取りや、機器の使用を制限することが可能となる。
【発明を実施するための最良の形態】
【００２３】
以下、本発明に係る制御システム、制御装置、制御方法、無線タグ、及び無線タグ情報管理方法を実施するための最良の形態について、添付図面を参照して詳細に説明する。
【実施例１】
【００２４】
図１は、本発明における制御システムの構成を示す概略機能ブロック図である。
【００２５】
同図に示すように、本発明における制御システムは、無線タグ１０と制御装置２０とからなり、制御装置２０には、制御を行なう機器３０が接続している。
【００２６】
そして、無線タグ１０には、制御装置２０で機器３０を制御するための制御情報が記録されている。
【００２７】
制御装置２０には、無線タグリーダ２１と機器制御部２２とが設けられている。
【００２８】
無線タグリーダ２１は、無線電波を発信し、無線タグ１０に記録されている情報を読み取る。
【００２９】
機器制御部２２は、無線タグリーダ２１の制御を行なうと共に、無線タグリーダ２１で読み取った情報から制御情報を取得する。また、この制御情報に基づいて、機器３０の制御を行う。
【００３０】
機器３０は、制御装置２０により制御を受ける機器であり、例えば、カメラや携帯電話など任意の機器を用いることができる。
【００３１】
上記構成を用いて本発明における制御システムでは、無線タグに記録されている制御情報を制御装置で読み取ると、機器の機能を停止させる。
【００３２】
図２は、本実施例における制御装置の処理の流れを示すフローチャートである。
【００３３】
まず、機器の電源が投入される（ステップ１００）と、無線タグリーダから無線電波を発信してポーリングを行い（図３(ａ)参照）（ステップ１０１）、制御情報を取得する（ステップ１０２でＹＥＳ）と、機器の機能を停止させ（図３(ｂ)参照）（ステップ１０３）、制御情報を取得できない場合（ステップ１０２でＮＯ）は、再びポーリングを行う（ステップ１０１）。
【００３４】
そして、ステップ１０３で機能を停止させた後、一定の時間が経過する（ステップ１０４でＹＥＳ）と、ポーリングを行い（ステップ１０５）、制御情報を取得する（ステップ１０６でＹＥＳ）と、一定の時間の経過を待ち（ステップ１０４）、制御情報を取得できない場合（図３(ｃ)参照）（ステップ１０６でＮＯ）は、機器の機能を再開させ（ステップ１０７）、再びポーリングを行う（ステップ１０１）。
【００３５】
図３は、機器としてカメラを用い、無線タグを撮影禁止の絵画の近辺に設置した場合の制御システムの動作を示す模式図であり、図３(ｃ)では、ポーリング停止中の間にユーザが絵画の鑑賞を終えてその場から離れることで、制御情報が取得できない様子を表している。
【００３６】
なお、本実施例では、機能停止後、一定時間が経過すると再びポーリングを行っているが、連続してポーリングを行ってもよく、また、無線タグから受信する電波の強度を測定し、この強弱に応じて機器の機能を停止させてもよい。
【００３７】
さらに、機能停止後はポーリングを行わず、ユーザが手動で機能を再開させてもよく、ステップ１０３で、機器の電源を切ってもよい。
【００３８】
このように本実施例では、無線タグから制御情報を取得すると機器の機能を停止させるため、例えば、無線タグをシルバーシートや飛行機内に設け、制御装置を携帯電話に接続することにより、シルバーシートの近辺や飛行機内での携帯電話の使用を防止することができる。
【００３９】
ところで、実施例１では、制御装置側に無線タグリーダを設けているが、ＩＣタグを制御装置側に設け、無線タグリーダがポーリング時に送信するセンシング信号を検知して機器の制御を行なってもよく、以下、実施例２を用いて説明する。
【実施例２】
【００４０】
図４は、本発明における制御システムの構成を示す概略機能ブロック図である。
【００４１】
同図に示すように、本発明における制御システムは、無線タグリーダ１１と制御装置２０とからなり、制御装置２０には、制御を行なう機器３０が接続している。
【００４２】
そして、制御装置２０には、無線タグ２３と機器制御部２２とが設けられている。
【００４３】
なお、図１と共通な機能を果たす部分には、図１で使用した符号と同一の符号を付して、その詳細な説明を省略する。
【００４４】
機器制御部２２は、無線タグ２３で受信するセンシング信号の強度を監視し、この強度に応じて機器３０の機能を制御する。
【００４５】
無線タグ２３は、センシング信号を受信する。
【００４６】
上記構成を用いて本発明における制御システムでは、センシング信号の強度を監視し、強度が強くなる（近づく）と機器の機能を停止させる。
【００４７】
図５は、本実施例における制御装置の処理の流れを示すフローチャートである。
【００４８】
まず、センシング信号を受信する（ステップ２００）と、センシング信号の強度を判断し（ステップ２０１）、強度が一定値以上である（ステップ２０１でＹＥＳ）と、機器の機能を停止させ（ステップ２０２）、強度が一定値に満たない（ステップ２０１でＮＯ）と、処理を終了する。
【００４９】
そして、ステップ２０２で機能を停止させた後、センシング信号の強度が一定値に満たなくなる（ステップ２０３でＹＥＳ）と、機器の機能を再開させる（ステップ２０４）。
【００５０】
このように本実施例では、無線タグリーダからのセンシング信号の強度に応じて機器の機能を制御を行うことができるため、一定の距離よりも近づくと機器の機能を停止させるといった距離などに応じて機器を制御することができる。
【００５１】
ところで、実施例１及び２では、制御情報を取得すると機能を停止しているが、実施例１と同様に制御情報を用いて制御を行なう場合は、この制御情報に応じて制御内容を変更してもよい。
【００５２】
例えば、機器としてカメラが接続されている場合は、フラッシュなど特定の機能を停止させたり、メディアへの記録を禁止することも可能であり、実施例１で説明した制御装置を備えたカメラについて、実施例２を用いて詳細に説明する。
【実施例３】
【００５３】
図６は、本実施例におけるカメラの構成を示す機能ブロック図である。
【００５４】
同図に示すように、カメラ４０は、制御部５０と撮影部６０とで構成されている。
【００５５】
制御部５０には、無線タグリーダ５１と機器制御部５２とが設けられている。
【００５６】
無線タグリーダ５１は、無線電波を発信し、図示しない無線タグに記録されている情報を読み取る。
【００５７】
機器制御部５２は、無線タグリーダ５１の制御を行なうと共に、無線タグリーダ５１で読み取った情報から制御情報を取得する。また、この制御情報に基づいて、撮影部６０の制御を行う。
【００５８】
そして、制御部５０は、無線タグに記録されている制御情報を読み取り、当該制御情報に基づいて撮影部の制御を行う。
【００５９】
撮影部６０には、画像記録部６１と、撮影制御部６２と、機能設定部６３と、レンズ５４と、フラッシュ５５とが設けられている。
【００６０】
画像記録部６１は、撮影した画像をフイルム又はメディアに記録する。
【００６１】
撮影制御部６２は、撮影部全体を制御して撮影を行なう。
【００６２】
設定部６３は、フラッシュの使用禁止や撮影モードなど、撮影時の機能を設定する。
【００６３】
そして、撮影部６０は、被写体を撮影し、撮影した画像を記録する。すなわち、通常のカメラとして機能する。
【００６４】
上記構成を用いて本実施例におけるカメラでは、無線タグに記録されている制御情報を制御部で読み取ると、当該制御情報に基づいて機能を制御する。
【００６５】
図７は、本実施例におけるカメラの処理の流れを示すフローチャートである。
【００６６】
まず、カメラの電源が投入される（ステップ３００）と、無線タグリーダから無線電波を発信してポーリングを行い（ステップ３０１）、制御情報を取得する（ステップ３０２でＹＥＳ）と、制御情報に基づいて停止させる機能を判断して（ステップ３０３）、機能設定部の設定を変更し（ステップ３０４）、設定変更した機能の設定変更をロックする（ステップ３０５）。
【００６７】
一方、制御情報を取得できない場合（ステップ３０２でＮＯ）は、再びポーリングを行う（ステップ３０１）。
【００６８】
そして、ステップ３０５で設定変更をロックした後、一定の時間が経過する（ステップ３０６でＹＥＳ）と、ポーリングを行い（ステップ３０７）、制御情報を取得する（ステップ３０８でＹＥＳ）と、一定の時間の経過を待ち（ステップ３０６）、制御情報を取得できない場合（ステップ３０８でＮＯ）は、設定変更のロックを解除し（ステップ３０９）、再びポーリングを行う（ステップ３０１）。
【００６９】
このように本実施例では、制御情報に基づいて停止させる機能を判断するため、フラッシュなどの特定の機能のみを停止させることができる。
【００７０】
また、設定変更をロックするため、例えば、カメラが撮影に最適な条件を自動的に設定するいわゆるオートモードで撮影を行っている際にフラッシュの機能を停止させたとすると、機能停止中は、フラッシュを用いない状態で最適な撮影条件が設定され、設定変更のロックが解除された後は、フラッシュの利用が可能な条件で最適な撮影条件が設定される。
【００７１】
したがって、限られた条件の中で最適な条件を用いてユーザが撮影を行うことができるようにカメラを制御することができる。
【００７２】
なお、本実施の形態では、ステップ３０９で設定変更のロックを解除しているが、ステップ３０４で機能の設定を変更する際に、変更前の設定を記録し、ステップ３０９で、変更前の条件に戻してもよい。
【００７３】
また、ステップ３０４でメディアへの記録を禁止するように撮影制御部を制御してもよく、この構成では、撮影はできるがメディアへの記録がすぐにできないことから、撮影枚数を１枚に制限することができる。
【００７４】
さらに、ステップ３０４でシャッターなどの操作を受け付けないように撮影制御部を制御することにより、実施例１と同様にカメラ（機器）自体の機能、すなわち撮影機能自体を停止させてもよく、加えて、ステップ３０４でカメラの電源を切り、以後の処理を行わないように構成してもよい。
【００７５】
本実施例では、実施例１で説明した制御装置を制御部として、カメラ（機器）に設けて機能を制御しているが、例えば、機器として携帯電話を用い、制御情報に従ってマナーモードに設定するなど、任意の機器を用いて任意の制御を行うことができる。
【００７６】
ところで、実施例３では、制御情報を取得すると特定の機能を使用禁止としているが、制御情報を取得すると特定の動作を行う用に構成してもよく、以下、実施例４を用いて説明する。
【実施例４】
【００７７】
図８は、本実施例のおける制御システムの構成の一例を示す機能ブロック図である。
【００７８】
同図に示すように本実施例における制御システムでは、無線タグボックス７０で受け付けた無線タグ７１をポーリングすることが可能な位置に無線タグリーダ２１を設け、機器制御部２２と機器３０とを接続する。
【００７９】
図９は、機器としてカメラを用いた場合の制御システムの構成の一例を示す機能ブロック図である。
【００８０】
同図に示すように、カメラ４０には、制御部５０の機器制御部５２と撮影部６０とが設けられ、制御部５０の無線タグリーダ５１は、無線タグボックスで受け付けた無線タグをポーリングすることが可能な位置に設けられている。
【００８１】
なお、図６と共通な機能を果たす部分には、図６で使用した符号と同一の符号を付して、その詳細な説明を省略する。
【００８２】
無線タグボックス７０は、無線タグ７１を所定の位置に固定するものである。
【００８３】
図１０は、機器としてカメラを用い、制御情報に従って撮影を行う際のカメラの処理の流れを示すフローチャートである。
【００８４】
まず、機器の電源が投入される（ステップ４００）と、無線タグリーダから無線電波を発信してポーリングを行う（ステップ４０１）。
【００８５】
そして、制御情報を取得できない場合（ステップ４０２でＮＯ）は、再びポーリングを行う（ステップ４０１）。
【００８６】
一方、制御情報を取得した場合（ステップ４０２でＹＥＳ）は、撮影を行い（ステップ４０３）、その後、再びポーリングを行う（ステップ４０１）。
【００８７】
このように本実施例では、無線タグボックスで無線タグを受け付けることのにより、カメラで撮影を行う。
【００８８】
このため、例えば、ジェットコースタの車両に無線タグボックスを設け、コース内の所定の個所にカメラを設け、車両が通過する際に無線タグボックスで受け付けた無線タグをポーリングすることが可能な位置に無線タグリーダを設けることにより、無線タグリーダの近辺を車両が通過した際に当該車両に登場している搭乗者の撮影を行うか否かの制御を行うことが可能となる。
【００８９】
なお、本実施例では、制御装置を用いてカメラの制御を行なっているが、機器はカメラに限られるものではなく、例えば、音声案内装置を機器として用い、所定の無線タグを所持するユーザが無線タグリーダの近辺を通過することにより、音声案内を開始するように構成してもよい。
【実施例５】
【００９０】
本実施例は、機器に無線タグボックスを設け、特定の制御情報に対する制限を受けないように構成したものである。
【００９１】
図１１は、本実施例に係るカメラの構成の一例を示す機能ブロック図である。
【００９２】
同図に示すように、カメラ４０は、制御部５０と撮影部６０とで構成されている。
【００９３】
なお、図６と共通な機能を果たす部分には、図６で使用した符号と同一の符号を付して、その詳細な説明を省略する。
【００９４】
制御部５０には、無線タグリーダ５１と機器制御部５２と無線タグボックス５３とが設けられている。
【００９５】
無線タグボックス５３は、図示しない無線タグを受け付け、図示しな無線タグリーダで当該無線タグに記録されている制御条件を読み取る。
【００９６】
ここで、制御条件とは、制御情報により使用が制限される機能であっても、制限を受けない機能を定めたものであり、例えば、撮影許可、ズームやマクロ、フラッシュの使用許可、メディアへの書き込み許可などが挙げられる。
【００９７】
機器制御部５２は、無線タグリーダ５１で読み取った情報から取得した制御情報と、無線タグボックス５３で受け付けた無線タグから取得した制御条件とに基づいて、撮影部６０の制御を行う。
【００９８】
そして、制御部５０は、カメラ外に設置されている無線タグから制御情報を取得すると共に、無線タグボックスで受け付けた無線タグから制御条件を取得し、制御情報及び制御条件に基づいて撮影部６０の制御を行う。
【００９９】
上記構成を用いて本実施例におけるカメラでは、制御情報を取得すると、制御情報及び制御条件に基づいてカメラの機能を制御する。
【０１００】
図１２は、本実施例におけるカメラの処理の流れを示すフローチャートである。
【０１０１】
まず、カメラの電源が投入され（ステップ５００）、無線タグボックスに無線タグが投入されると、当該無線タグから制御条件を取得する（ステップ５０１）。
【０１０２】
そして、無線タグリーダから無線電波を発信してポーリングを行い（ステップ５０２）、制御情報を取得できない場合（ステップ５０２でＮＯ）は、再びポーリングを行い（ステップ５０２）、制御情報を取得する（ステップ５０３でＹＥＳ）と、制御条件に基づき、制御情報で指示された機能を停止させるか否かの判断を行う（ステップ５０４）。
【０１０３】
ここで、機能を停止させないと判断する（ステップ５０４でＮＯ）と、再びポーリングを行い（ステップ５０２）、機能を停止させると判断する（ステップ５０４でＹＥＳ）と、機能設定部の設定を変更し（ステップ５０５）、その後、再びポーリングを行う（ステップ５０２）。
【０１０４】
このように本実施例では、制御情報及び制御条件に基づいてカメラ（機器）の制御を行なうため、例えば、美術館の受け付けで料金を支払うことにより、館内の撮影を許可するなど、全ての機器に対して一律に制御を行うのではなく、特定の機器に対してのみ制御を行なうことができる。
【実施例６】
【０１０５】
図１３は、本実施例における無線タグの構成を示す機能ブロック図である。
【０１０６】
同図に示すように、無線タグ８０は、チップ上に設けられた無線タグチップ部８１と、チップから取り外し可能なメモリ８２とで構成されている。
【０１０７】
無線タグチップ部８１には、アンテナ８３と、送受信制御部８４と、電源部８５と、読み書き制御部８６と、接続部８７とが設けられている。
【０１０８】
アンテナ８３は、図示しない無線タグリーダから送信される無線電波を受信する。
【０１０９】
送受信制御部８４は、アンテナ８３に接続され、無線タグリーダと情報を送受信するための制御を行なう。
【０１１０】
電源部８５は、アンテナ８３に受信される無線電波の電力を利用して、各部を動作させる直流電圧を発生する。
【０１１１】
読み書き制御部８６は、メモリ８２と接続しているか否かの判断を行うと共に、情報の読み出しや書き込みの制御を行なう。
【０１１２】
接続部８７は、メモリ８２と無線タグチップ部８１とを接続する汎用若しくは専用の接続端子である。
【０１１３】
そして、無線タグチップ部８１は、メモリ８２に記録されている情報の読み出しや、メモリ８２への情報の書き込みを行う。
【０１１４】
メモリ８２は、無線タグで保持する情報を記録する。
【０１１５】
上記構成を用いて、本実施例における無線タグは、無線タグリーダから無線電波を受けると、メモリの接続を判断して処理を行う。
【０１１６】
図１４は、本実施例における無線タグの処理の流れを示すフローチャートである。
【０１１７】
まず、無線タグリーダ又はライタからの無線電波を受信する（ステップ６００）と、起動し（ステップ６０１）、メモリが接続されているか否かの判断を行う（ステップ６０２）。
【０１１８】
そして、メモリが接続されていないと判断する（ステップ６０２でＮＯ）と、処理を終了し、メモリが接続されていろと判断する（ステップ６０２でＹＥＳ）と、メモリからの情報読み出しやメモリへの情報書き込みの処理を行う（ステップ６０３）。
【０１１９】
このように本実施例では、メモリの取り外しが可能なため、ユーザの意図しない情報の書き込みや読み出しを防止することができる。
【実施例７】
【０１２０】
図１５は、本実施例における無線タグの構成を示す機能ブロック図である。
【０１２１】
同図に示すように、無線タグ８０には、メモリ８２と、アンテナ８３と、送受信制御部８４と、電源部８５と、読み書き制御部８６とが設けられている。
【０１２２】
なお、図１３と共通な機能を果たす部分には、図１３で使用した符号と同一の符号を付して、その詳細な説明を省略する。
【０１２３】
読み書き制御部８６は、メモリ８２に記録されている制御コードに基づいて、情報の読み出しを行なう。
【０１２４】
上記構成を用いて本実施例における無線タグは、無線タグライタから制御コードが送信されると、当該制御コードを記録し、無線タグリーダから情報の読出しが行われると、制御コードに基づいて、情報の読み出しを行う。
【０１２５】
なお、図１５における各部位は、チップ上に形成されているが、実施例６で示したように、メモリなどを取り外すことが可能な無線タグでもよい。
【０１２６】
図１６は、本実施例における無線タグにおいて、情報を読み出す際の処理の流れを示すフローチャートである。
【０１２７】
まず、無線タグリーダからの無線電波を受信する（ステップ７００）と、起動し（ステップ７０１）、読み出しを拒否する制御コードが記録されているか否かの判断を行う（ステップ７０２）。
【０１２８】
そして、読み出し拒否の制御コードが記録されていると判断する（ステップ７０２でＹＥＳ）と、処理を終了し、読み出し拒否の制御コードが記録されていないと判断する（ステップ７０２でＮＯ）と、メモリからの情報読み出し（ステップ７０３）、無線タグリーダに情報を送信する（ステップ７０４）。
【０１２９】
なお、本実施例では、制御コードが記録されていないと処理を終了しているが、ダミーの情報を送る、若しくは、情報が記録されていないこと示す情報を送信するなど、正しい情報以外の任意の情報を送信するように構成してもよい。
【０１３０】
このように本実施例では、制御コードを用いて情報の読み出しを防止するため、ユーザの意図しない情報の読み出しを防止することができる。
【０１３１】
また、情報の読み出しを許可する制御コードをメモリに無線タグライタで記録することにより、情報の読み出しを許可することが出きるため、無線タグを再利用することができる。
【実施例８】
【０１３２】
本実施例では、メモリに読み出し可能な無線タグリーダ又はライタの識別子を記録し、無線電波経由で情報の読み取りや書き込み要求を受信した際に、識別子に基づいて情報の読出しや書き込みを許可する。
【０１３３】
本実施例における無線タグは、メモリ８２に無線タグリーダやライタの識別子を記録し、読み書き制御部８６で無線タグリーダやライタから受信した識別子とメモリに記録されている識別子とを照会して情報の読み出しを行なう点を除き実施例７における無線タグと同様であり、その詳細な説明を省略する。
【０１３４】
図１７は、本実施例における無線タグの処理の流れを示すフローチャートである。
【０１３５】
まず、無線タグリーダ又はライタからの無線電波を受信する（ステップ８００）と、起動し（ステップ８０１）、無線電波を介して情報の読み取り又は書き込み要求を送信した無線タグリーダ又はライタの識別子とメモリに記録している識別子とが一致するか否かの判断を行う（ステップ８０２）。
【０１３６】
そして、識別子が一致しないと判断する（ステップ８０２でＮＯ）と、処理を終了し、識別子が一致すると判断する（ステップ８０２でＹＥＳ）と、メモリからの情報読み出しやメモリへの情報書き込みの処理を行う（ステップ８０３）。
【０１３７】
このように本実施例では、無線タグリーダやライタの識別子に基づいて情報の読出しや書き込みを許可することが可能なため、ユーザの意図しない情報の書き込みや読み出しを防止することができる。
【図面の簡単な説明】
【０１３８】
【図１】本発明における制御システムの構成を示す概略機能ブロック図
【図２】実施例１における制御装置の処理の流れを示すフローチャート
【図３】機器としてカメラを用い、無線タグを撮影禁止の絵画の近辺に設置した場合の制御システムの動作を示す模式図
【図４】本発明における制御システムの構成を示す概略機能ブロック図
【図５】実施例２における制御装置の処理の流れを示すフローチャート
【図６】実施例３におけるカメラの構成を示す機能ブロック図
【図７】実施例３におけるカメラの処理の流れを示すフローチャート
【図８】実施例４のおける制御システムの構成の一例を示す機能ブロック図
【図９】機器としてカメラを用いた場合の制御システムの構成の一例を示す機能ブロック図
【図１０】機器としてカメラを用い、制御情報に従って撮影を行う際のカメラの処理の流れを示すフローチャート
【図１１】実施例５に係るカメラの構成の一例を示す機能ブロック図
【図１２】実施例５におけるカメラの処理の流れを示すフローチャート
【図１３】実施例６における無線タグの構成を示す機能ブロック図
【図１４】実施例６における無線タグの処理の流れを示すフローチャート
【図１５】実施例７における無線タグの構成を示す機能ブロック図
【図１６】実施例７における情報を読み出す際の処理の流れを示すフローチャート
【図１７】実施例８における無線タグの処理の流れを示すフローチャート
【符号の説明】
【０１３９】
１０・・・無線タグ
２０・・・制御装置
２１・・・無線タグリーダ
２２・・・機器制御部
２３・・・無線タグ
３０・・・機器
４０・・・カメラ
５０・・・制御部
５１・・・無線タグリーダ
５２・・・機器制御部
５３・・・無線タグボックス
５４・・・レンズ
５５・・・フラッシュ
６０・・・撮影部
６１・・・画像記録部
６２・・・撮影制御部
６３・・・機能設定部
７０・・・無線タグボックス
７１・・・無線タグ
８０・・・無線タグ
８１・・・無線タグチップ部
８２・・・メモリ
８３・・・アンテナ
８４・・・送受信制御部
８５・・・電源部
８６・・・読み書き制御部
８７・・・接続部
【図１】
2006093826.tif 000003
【図２】
2006093826.tif 000004
【図３】
2006093826.tif 000005
【図４】
2006093826.tif 000006
【図５】
2006093826.tif 000007
【図６】
2006093826.tif 000008
【図７】
2006093826.tif 000009
【図８】
2006093826.tif 000010
【図９】
2006093826.tif 000011
【図１０】
2006093826.tif 000012
【図１１】
2006093826.tif 000013
【図１２】
2006093826.tif 000014
【図１３】
2006093826.tif 000015
【図１４】
2006093826.tif 000016
【図１５】
2006093826.tif 000017
【図１６】
2006093826.tif 000018
【図１７】
2006093826.tif 000019